(57)【要約】【課題】飲料を冷却する装置本体１０ａの前側上部に立設した取付ブラケット１４に取付構造体３０ｂを抜差し可能に差込んで飲料注出回路ユニット３０を取付ける形式の飲料冷却注出装置において、取付構造体３０ｂの取付ブラケット１４に対する取付けを容易にし、および／または、取付ブラケット１４と取付構造体３０ｂ間の嵌合部位でのガタツキの発生を規制する。【解決手段】取付ブラケット１４は左右の両側部に上下方向に延びる係合板部１４ａ，１４ｂを有するとともに、取付構造体３０ｂは左右の両側部に上下方向に延びる係合溝部３８ａ，３８ｂを有し、係合溝部３８ａ，３８ｂの下端部を漸次拡開する形状に形成して取付ブラケット１４の案内部とし、および／または、係合溝部３８ａ，３８ｂの上端部を漸次幅狭に形成して取付ブラケット１４の挟持部とした。【選択図】    図８
2005212822.tif 000002
【特許請求の範囲】
【請求項１】
飲料注出回路ユニットを構成する注出コックを支持する取付構造体を飲料を冷却する装置本体の前側上部に立設した取付ブラケットに抜差し可能に差込んで、前記飲料注出回路ユニットを前記装置本体に取付ける形式の飲料冷却注出装置であり、前記取付ブラケットは内向き方向に互いに対向して上下方向に延びる左右一対の係合部を有するとともに、前記取付構造体は前記取付ブラケットの各係合部が挿通可能で下端部側が拡開して開口して上下方向に延びる係合溝部を有し、前記取付構造体は、前記各係合溝部の下端開口部側から前記取付ブラケットの各係合部に差込んで取付けられることを特徴とする飲料冷却注出装置。
【請求項２】
飲料注出回路ユニットを構成する注出コックを支持する取付構造体を飲料を冷却する装置本体の前側上部に立設した取付ブラケットに抜差し可能に差込んで、前記飲料注出回路ユニットを前記装置本体に取付ける形式の飲料冷却注出装置であり、前記取付ブラケットは内向き方向に互いに対向して上下方向に延びる左右一対の係合部を有するとともに、前記取付構造体は前記取付ブラケットの各係合部が挿通可能で上端部側が上方に向かって漸次幅狭の上下方向に延びる係合溝部を有し、前記取付構造体は、前記各係合溝部の下端開口部側から前記取付ブラケットの各係合部に差込んで取付けられ、差込みを終了した時点では、前記各係合部の上端部が前記各係合溝部の上端部にて挟持されることを特徴とする飲料冷却注出装置。
【請求項３】
飲料注出回路ユニットを構成する注出コックを支持する取付構造体を飲料を冷却する装置本体の前側上部に立設した取付ブラケットに抜差し可能に差込んで、前記飲料注出回路ユニットを前記装置本体に取付ける形式の飲料冷却注出装置であり、前記取付ブラケットは内向き方向に互いに対向して上下方向に延びる左右一対の係合部を有し、かつ、前記取付構造体は前記取付ブラケットの各係合部が挿通可能で下端部側が拡開して開口するとともに上端部側が上方に向かって漸次幅狭の上下方向に延びる係合溝部を有し、前記取付構造体は、前記各係合溝部の下端開口部側から前記取付ブラケットの各係合部に差込んで取付けられて差込みを終了した時点では、前記各係合部の上端部が前記各係合溝部の上端部にて挟持されることを特徴とする飲料冷却注出装置。
【請求項４】
請求項１〜３のいずれか一項に記載の飲料冷却注出装置において、前記取付ブラケットが有する各係合部の下端部は下方に向かって漸次板厚に形成されていて、前記取付構造体の各係合溝部が前記取付ブラケットの各係合部に差込みを終了した時点では、前記係合部の下端部が前記係合溝部の下端部にて挟持されることを特徴とする飲料冷却注出装置。
【発明の詳細な説明】
【技術分野】
【０００１】
本発明は、生ビール等の飲料を冷却して注出するための飲料冷却注出装置に関する。
【背景技術】
【０００２】
飲料冷却注出装置の一形式として、飲料注出回路ユニットを構成する注出コックを支持する取付構造体を、飲料を冷却する装置本体の前側上部に立設した取付ブラケットに抜差し可能に差込んで、前記飲料注出回路ユニットを前記装置本体に取付ける形式の飲料冷却注出装置がある。
【０００３】
当該形式の飲料冷却注出装置は、飲料を冷却する冷却槽を有する装置本体、冷却槽に収容されている飲料冷却管（冷却パイプ）、飲料冷却管を飲料供給源に接続する飲料供給管路（供給ホース）およびディスペンサヘッド、冷却飲料を注出する注出コック、注出コックを飲料冷却管に接続する飲料注出管路（注出ホース）等を備えていて、飲料冷却管、ディスペンサヘッド付きの飲料供給管路、飲料注出管路、および注出コックが一体で飲料注出回路ユニットを構成している。
【０００４】
ところで、当該形式の飲料冷却注出装置においては、飲料注出回路ユニットを構成するディスペンサヘッドは、飲料供給源の交換時の飲料供給源との脱着時に外気に暴露され、また、飲料注出回路ユニットを構成す注出コックは常時外気に暴露されている状態にあり、ディスペンサヘッドや注出コックの部位から外気に浮遊している雑菌類が飲料注出回路ユニット内に侵入し易い。雑菌類が飲料注出回路ユニット内に侵入した場合には、雑菌類は飲料注出回路ユニット内で繁殖するおそれがある。特に夏場で栄養分を多く含む環境下では、雑菌類は急激に繁殖する。この結果、飲料の味を大きく低下させることになる。
【０００５】
このため、当該形式の飲料冷却注出装置においては、飲料注出回路ユニットを、定期的に、また、夏場等の気温の高い時期には頻繁に洗浄して、常に清潔な状態に保持しなければならない。当該形式の飲料冷却注出装置において、飲料注出回路ユニットの頻繁な洗浄を容易にするには、飲料注出回路ユニットを装置本体から一体で取出すことができるようにすることが要請される。この要請に対処するための飲料冷却注出装置については、すでに提案されかつ実用化されている（特許文献１を参照）。
【０００６】
上記した特許文献１にて提案されている飲料冷却注出装置では、飲料注出回路ユニットを装置本体の前側上部に立設した取付ブラケットに、取付構造体を介して取付けている。取付ブラケットは、内向き方向に互いに対向して上下方向に延びる左右一対の係合部を備えるとともに、取付構造体は取付ブラケットの各係合部が挿通可能で下端部が開口して上下方向に延びる係合溝部を備え、取付構造体の各係合溝部を取付ブラケットの各係合部に差込んで飲料注出回路ユニットを装置本体に取付け、取付構造体の各係合溝部を取付ブラケットの各係合部から抜出して飲料注出回路ユニットを装置本体から取外すことができるようになっている。
【０００７】
このように、取付ブラケットと取付構造体が構成する当該取付構造においては、注出コックを支持する取付構造体を定期的または頻繁に、装置本体側の取付ブラケットから取外し、かつ、取付けることが必要であることから、取付構造体の取付ブラケットに対する抜差を容易に行えることが要請される。
【０００８】
また、当該取付構造においては、取付ブラケットの係合部と取付構造体の係合溝部間には、差込みおよび抜出し操作を可能にするため、所定のクリアランスが存在していて、取付構造体の取付ブラケットに対するガタツキの発生は避けられない。このため、例えば、飲料冷却注出装置から冷却飲料を注出する場合、飲料供給源から飲料を送出するためのガス圧が高いと、また、注出コックの開閉操作を乱雑に扱うと、ウオータハンマが発生して、取付構造体を介して飲料注出回路ユニットが振動するという問題がある。
【特許文献１】特開平６−２９３３９２号公報
【発明の開示】
【発明が解決しようとする課題】
【０００９】
本発明の第１の目的は、当該形式の飲料冷却注出装置で採用されている取付ブラケットと取付構造体とを抜差し可能に嵌合する取付構造において、取付構造体の取付ブラケットに対する抜差を容易にすることにあり、第２の目的は、当該取付構造において、取付ブラケットと取付構造体間のガタツキの発生を規制することにあり、第３の目的は、当該取付構造において、上記各機能を併せて保持することにある。
【課題を解決するための手段】
【００１０】
本発明は、飲料冷却注出装置に関する。本発明が適用対象とする飲料冷却注出装置は、飲料注出回路ユニットを構成する注出コックを支持する取付構造体を飲料を冷却する装置本体の前側上部に立設した取付ブラケットに抜差し可能に差込んで、前記飲料注出回路ユニットを前記装置本体に取付ける形式の飲料冷却注出装置である。
【００１１】
しかして、本発明に係る第１の飲料冷却注出装置においては、前記取付ブラケットは内向き方向に互いに対向して上下方向に延びる左右一対の係合部を有するとともに、前記取付構造体は前記取付ブラケットの各係合部が挿通可能で下端部側が拡開して開口して上下方向に延びる係合溝部を有し、前記取付構造体は、前記各係合溝部の下端開口部側から前記取付ブラケットの各係合部に差込んで取付けられることを特徴とするものである。
【００１２】
また、本発明に係る第２の飲料冷却注出装置においては、前記取付ブラケットは内向き方向に互いに対向して上下方向に延びる左右一対の係合部を有するとともに、前記取付構造体は前記取付ブラケットの各係合部が挿通可能で上端部側が上方に向かって漸次幅狭の上下方向に延びる係合溝部を有し、前記取付構造体は、前記各係合溝部の下端開口部側から前記取付ブラケットの各係合部に差込んで取付けられ、差込みを終了した時点では、前記各係合部の上端部が前記各係合溝部の上端部にて挟持されることを特徴とするものである。
【００１３】
また、本発明に係る第３の飲料冷却注出装置においては、前記取付ブラケットは内向き方向に互いに対向して上下方向に延びる左右一対の係合部を有し、かつ、前記取付構造体は前記取付ブラケットの各係合板部が挿通可能で下端部側が拡開して開口するとともに上端部側が上方に向かって漸次幅狭の上下方向に延びる係合溝部を有し、前記取付構造体は、前記各係合溝部の下端開口部側から前記取付ブラケットの各係合部に差込んで取付けられて差込みを終了した時点では、前記各係合部の上端部が前記各係合溝部の上端部にて挟持されることを特徴とするものである。
【００１４】
本発明に係る各飲料冷却注出装置においては、前記取付ブラケットが有する各係合部の下端部を下方に向かって漸次板厚に形成して、前記取付構造体の各係合溝部が前記取付ブラケットの各係合部に差込みを終了した時点では、前記係合部の下端部が前記係合溝部の下端部にて挟持されるようにすることができる。
【発明の効果】
【００１５】
本発明に係る飲料冷却注出装置においては、飲料注出回路ユニットを支持している取付構造体を取付ブラケットに取付ける取付構造として、取付ブラケットの各係合部と取付構造体の各係合溝部とを抜差し可能に嵌合させる取付構造を採用している。
【００１６】
しかして、当該取付構造においては、第１には、取付構造体の各係合溝部を、その下端部が拡開して開口する形状に形成していることから、取付構造体を取付ブラケットに取付ける場合、取付構造体の各係合溝部の拡開する下端部が、取付ブラケットの各係合部を各係合溝部内に導入する案内部として機能する。このため、取付構造体の取付ブラケットへの取付けが極めて容易であって、取付構造体の取付ブラケットからの定期的な取外し後の取付けは勿論のこと、頻繁な取外し後の取付けも容易に行うことができる。
【００１７】
また、当該取付構造においては、第２には、取付構造体の各係合溝部を、その上端部が上方に向かって漸次幅狭になる形状に形成していることから、各係合溝部が取付ブラケットの各係合部に差込みを終了した時点において、取付ブラケットの各係合部の上端部が取付構造体の各係合溝部の上端部にて挟持される。このため、取付構造体は取付ブラケットに対して嵌合固定され、取付構造体は取付ブラケットに対してガタなく固定される。この結果、当該飲料冷却注出装置において、ウオータハンマ等の振動源が発生しても、取付構造体を介して飲料注出回路ユニットが振動するようなことはない。換言すれば、取付ブラケットと取付構造体間のガタツキに起因する飲料注出回路ユニットの振動の発生を規制することができる。
【００１８】
また、当該取付構造においては、第３には、取付構造体の各係合溝部を、その下端部が拡開して開口する形状に形成し、かつ、その上端部が上方に向かって漸次幅狭になる形状に形成している。このため、当該取付構造においては、第１の取付構造における案内部としての機能と、第２の取付構造における挟持機能を併せて持つことになり、取付構造体を取付ブラケットに取付けるための取付構造としては最適なものとなる。
【発明を実施するための最良の形態】
【００１９】
本発明は、飲料冷却注出装置に関するもので、図１〜図３には、本発明に係る飲料冷却注出装置の一実施形態を示している。当該飲料冷却注出装置は、装置本体１０ａ、装置本体１０ａ内に形成されている冷却水槽１０ｂ、装置本体１０ａの機械室内に収容されている冷凍機構１０ｃ、冷却水槽１０ｂ内に収容されている冷水の撹拌機構２０、冷却水槽１０ｂ内に主要部を収容されている飲料注出回路ユニット３０にて構成されている。
【００２０】
装置本体１０ａは、冷却水槽１０ｂ内に撹拌機構２０および飲料注出回路ユニット３０の主要部を収容し、かつ、冷却水槽１０ｂの後方に冷凍機構１０ｃを収容した状態で、上方開口部を蓋体１０ｄにて覆蓋されている。また、装置本体１０ａを構成する外壁１１の前面下方部には、受け皿１２を備えている。冷却水槽１０ｂは、槽内周面に近接して螺旋状に巻回されている冷媒流通管路１３が配設されている。冷媒流通管路１３は、冷凍機１０ｃの冷凍回路の一部を構成するもので、冷却水槽１０ｂの槽内に収容している冷却水を所定温度に冷却すべく機能する。
【００２１】
撹拌機構２０は、アジテータ２１、および、これを回転駆動する駆動モータ２２にて構成されている。当該撹拌機構２０においては、図２および図３に示すように、駆動モータ２２は、冷却水槽１０ｂの槽中央部に起立する支持柱２３ａの上方板２３ｂに取付けられていて、アジテータ２１は各支持柱２３ａ間を下方に所定長さ延びている。なお、各支持柱２３ａの外周は金網２４にて覆蓋されており、また、駆動モータ２２はカバー２５にて覆蓋されている。
【００２２】
抽出回路ユニット３０は、図２、図５〜図７に示すように、パイプを螺旋状に多数回巻回されている冷却パイプ３１、冷却パイプ３１の上流側端部に接続し図示しないディスペンサヘッドを介して飲料供給源に接続される飲料用供給ホース３２ａ、冷却された飲料（冷却飲料）を注出する注出コック３３、および、抽出コック３３と冷却パイプ３１の下流側端部とに接続する冷却飲料用注出ホース３２ｂからなり、支持機構３０ａを介して構造体（ユニット）に構成されている。
【００２３】
支持機構３０ａは、前端がＬ字状に起立する平板状の上板３４ａ、平板状の下板３４ｂ、および、これら両板３４ａ，３４ｂを互いに連結する複数の連結支柱３５からなり、冷却パイプ３１は、各連結支柱３５に沿って配置されて、各連結支柱３５に取付けられて支持されている。また、飲料注出回路ユニット３０を構成する注出コック３３は、上板３４ａの平板部３４ａ1の前端にて起立する取付板部３４ａ2を一構成部材とする後述する取付構造体３０ｂを介して取付けられている。
【００２４】
当該取付構造体３０ｂは、装置本体１０ａの外殻１１の前面上方部に設けた後述する取付ブラケットに抜差し可能に取付けられるもので、当該飲料注出回路ユニット３０においては、冷却パイプ３１を支持する支持機構３０ａを、装置本体１０ａの冷却水槽１０ｂ内の撹拌機構２０の外周に嵌合した状態で冷却水槽１０ｂ内に収容し、同時に注出コック３３を支持する取付構造体３０ｂを装置本体１０ａの取付ブラケットに差込めば、当該飲料注出回路ユニット３０を装置本体１０ａの冷却水槽１０ｂ内に収納した状態に取付ることができる。また、取付構造体３０ｂを装置本体１０ａの取付ブラケットから抜出せば、装置本体１０ａに取付けられて収容状態にある当該飲料注出回路ユニット３０を、装置本体１０ａから取出すことができる。
【００２５】
取付構造体３０ｂを採用して飲料注出回路ユニット３０を装置本体１０ａの取付ブラケットに取付ける手段は、本発明の主要部をなすものである。取付構造体３０ｂは、図１〜図３および図５〜図８に示すように、支持機構３０ａを構成する上板３４ａの取付板部３４ａ2、および、取付板部３４ａ2を前後から挟む前後一対の取付板３６，３７にて構成されている。当該取付構造体３０ｂは、全体として板状を呈している。
【００２６】
当該取付構造体３０ｂには、注出コック３３が、前側取付板３６、取付板部３４ａ2、および、後側の取付板３７の中央を貫通した状態で、ナット３９を介して取付けられた状態で支持されている。取付構造体３０ｂは、装置本体１０ａを構成する外殻１１の上方中央部における方形の凹所１１ａに沿って配設されている取付ブラケット１４に取付けられている。
【００２７】
取付構造体３０ｂの取付ブラケット１４に対する取付けは、取付構造体３０ｂが有する各係合溝部３８ａ，３８ｂを、取付ブラケット１４が有する各係合板部１４ａ，１４ｂに差込むことによってなされる。図７および図８は、取付構造体３０ｂの側部の係合溝部３８ａ，３８ｂの部位を縦断した側面を示しているもので、図６における矢印７−７線に沿う縦断面図である。なお、取付ブラケット１４が有する各係合板部１４ａ，１４ｂは、本発明における取付ブラケットの係合部に該当し、かつ、取付構造体３０ｂが有する各係合溝部３８ａ，３８ｂは本発明における係合溝部に該当し、取付構造体３０ｂの左右の両側部に備えている。
【００２８】
取付構造体３０ｂの係合溝部３８ａ，３８ｂは、取付板部３４ａ2の左右の各側端部と、取付板部３４ａ2を前後から挟む前後一対の取付板３６，３７の左右の各側縁部３６ａ，３７ａ、３６ｂ，３７ｂにて構成されている。前側の取付板３６の左右の側縁部３６ａ，３６ｂは垂直で直線状に延びている。これに対して、後側の取付板３７の左右の側縁部３７ａ，３７ｂは、垂直で直線状に所定長さ延びる本体部３７ａ1，３７ｂ1と、本体部３７ａ1，３７ｂ1の下端から後方に折れ曲がる下端部３７ａ2，３７ｂ2と、本体部３７ａ1，３７ｂ1の上端から前方に折れ曲がる上端部３７ａ3，３７ｂ3にて構成されている。上端部３７ａ3，３７ｂ3は、前側の取付板３６の側縁部３６ａ，３６ｂ側にわずかに上方傾斜して延びている。
【００２９】
かかる形状の取付板３６，３７の各側縁部３６ａ，３７ａ、３６ｂ，３７ｂは、互いに所定間隔を保持して、取付板部３４ａ2の各端縁の各外側に各係合溝部３８ａ，３８ｂを形成する。形成された各係合溝部３８ａ，３８ｂは、下端部にて下方へ拡開して開口し、垂直上方へ所定幅を保持して所定長さ延びている。また、各係合溝部３８ａ，３８ｂの上端部は、前側の取付板３６の側縁部３６ａ，３６ｂへ上方傾斜して漸次幅狭で所定長さ延びる側面形状を呈している。かかる形状の各係合溝部３８ａ，３８ｂを有する取付構造体３０ｂは、本発明における前述の第３の取付構造を構成する。
【００３０】
これらの各係合溝部３８ａ，３８ｂを有する取付構造体３０ｂは、装置本体１０ａを構成する外殻１１の凹所１１ａの左右に設けた取付ブラケット１４が有する、内向き方向に互いに対向する左右一対の係合板部１４ａ，１４ｂに差込むすることにより取付けられる。図７は、取付構造体３０ｂの取付ブラケット１４への取付け途中の状態を示し、また、図８は、取付構造体３０ｂの取付ブラケット１４への取付けを終了した状態を示している。取付構造体３０ｂの取付ブラケット１４への取付けは、取付構造体３０ｂが有する各係合溝部３８ａ，３８ｂを取付ブラケット１４の各係合板部１４ａ，１４ｂに相対的に差込むことにより行い、差込みが終了した時点では、各係合板部１４ａ，１４ｂの上端部は、前側の取付板３６の側縁部３６ａ，３６ｂと後側の取付板３７の側縁部３７ａ，３７ｂの上端部３７ａ3，３７ｂ3にて強固に挟持される。取付構造体３０ｂのかかる取付構造においては、取付構造体３０ｂを取付ブラケット１４から抜出すことにより、装置本体１０ａから取外すことができる。
【００３１】
このように、当該取付構造においては、取付構造体３０ｂを取付ブラケット１４に差込むことにより装置本体１０ａに取付けることができ、かつ、取付構造体３０ｂを取付ブラケット１４から抜出すことにより装置本体１０ａから取外すことができる。特に、取付構造体３０ｂを取付ブラケット１４に差込む場合は、取付板３７の拡開して屈折している各下端部３７ａ2，３７ｂ2が取付ブラケット１４の各係合板部１４ａ，１４ｂを、各係合溝部３８ａ，３８ｂ内に案内すべく機能することから、取付構造体３０ｂの取付ブラケット１４に対する取付けを容易にする。
【００３２】
また、当該取付構造においては、取付構造体３０ｂが、取付ブラケット１４の各係合板部１４ａ，１４ｂの上端部を挟持されてガタなく嵌合固定している。このため、当該飲料冷却注出装置において、ウオータハンマ等の振動源が発生しても、取付構造体３０ｂを介して飲料注出回路ユニット３０が振動するようなことはない。換言すれば、取付ブラケット１４と取付構造体３０ｂ間のガタツキに起因する飲料注出回路ユニットの振動の発生を規制することができる。
【００３３】
当該取付構造では、注出コック３３を取付構造体３０ｂに取付けているナット３９が取付板３７を背部から押さえている。このため、取付構造体３０ｂが有する各係合溝部３８ａ，３８ｂの前後方向の幅寸法はほとんど不変であって、上記した案内機能および挟持機能は十分に発揮される。
【００３４】
上記した実施形態に係る飲料冷却注出装置においては、取付ブラケット１４の各係合板部１４ａ，１４ｂの上端部が、取付構造体３０ｂが有する各係合溝部３８ａ，３８ｂの上端部にて挟持されて嵌合固定する取付構造を構成する例について示したが、当該取付構造に替えて、取付ブラケット１４の各係合板部１４ａ，１４ｂの下端部が、取付構造体３０ｂが有する各係合溝部３８ａ，３８ｂの下端部にて挟持されて嵌合する取付構造を構成するように変形することもできる。
【００３５】
当該取付構造を構成するには、取付構造体３０ｂが有する各係合溝部３８ａ，３８ｂの幅は上下方向には略均等に形成し、取付ブラケット１４の各係合板部１４ａ，１４ｂの下端部の板厚を下方に漸次厚く形成するようにする。これにより、取付構造体３０ｂを取付ブラケット１４に差込んで取付ける場合、差込が終了した時点では、取付ブラケット１４の各係合板部１４ａ，１４ｂの下端部は、取付構造体３０ｂの各係合溝部３８ａ，３８ｂの下端部に挟持され、取付構造体３０ｂは、取付ブラケット１４にガタなく嵌合固定される。
【図面の簡単な説明】
【００３６】
【図１】本発明の一実施形態に係る飲料冷却注出装置の正面図である。
【図２】同飲料冷却注出装置の一部を縦断した側面図である。
【図３】同飲料冷却注出装置を構成する飲料注出回路ユニットを取付外した状態の装置本体の一部を縦断した側面図である。
【図４】同飲料冷却注出装置を構成する飲料注出回路ユニットの側面図である。
【図５】同飲料注出回路ユニットの拡大正面図である。
【図６】同飲料注出回路ユニットの拡大平面図である。
【図７】同飲料注出回路ユニットにおける図６の矢印７−７線に沿って縦断した拡大側面図であって、取付ブラケットに差込み途中の状態を示す図面である。
【図８】同飲料注出回路ユニットの取付ブラケットに差込み終了時点の状態を示す図面である。
【符号の説明】
【００３７】
１０ａ…装置本体、１０ｂ…冷却水槽、１０ｃ…冷凍機構、１０ｄ…蓋体、１１…外壁、１１ａ…凹所、１２…受け皿、１３…冷媒流通管路、１４…取付ブラケット、１４ａ，１４ｂ…係合板部、２０…撹拌機構、２１…アジテータ、２２…駆動モータ、２３ａ…支持柱、２３ｂ…上方板、２４…金網、２５…カバー、３０…飲料抽出回路ユニット、３０ａ…支持機構、３０ｂ…取付構造体、３１…冷却パイプ、３２ａ…飲料用供給ホース、３２ｂ…冷却飲料用注出ホース、３３…注出コック、３４ａ…上板、３４ａ1…平板部、３４ａ2…取付板部、３４ｂ…下板、３５…連結支柱、３６，３７…取付板、３６ａ，３７ａ、３６ｂ，３７ｂ…縁部、３７ａ1，３７ｂ1…本体部、３７ａ2，３７ｂ2…下端縁部、３７ａ3，３７ｂ3 …上端部、３８ａ，３８ｂ…係合溝部、３９…ナット。
【図１】
2005212822.tif 000003
【図２】
2005212822.tif 000004
【図３】
2005212822.tif 000005
【図４】
2005212822.tif 000006
【図５】
2005212822.tif 000007
【図６】
2005212822.tif 000008
【図７】
2005212822.tif 000009
【図８】
2005212822.tif 000010